(57)【特許請求の範囲】
【請求項１】
端部付近の外周に沿って凹溝を有し、この凹溝よりも先端部側をテーパ状に形成した軸部品と、
線材を湾曲または折曲成形してなり、弾発的に拡開可能な輪状の係合部とこの係合部を拡開させる把持部とを有する軸固定部品と、を備え、
上記軸部品がベビー歩行器の保護枠の軸受け部に支持され、上記軸部品にベビー歩行器の座部の先端部が巻回された状態で、上記係合部が上記凹溝に係合することで、上記座部を上記保護枠に掛止することを特徴とする、ベビー歩行器のシートを掛止するための締結具。
【請求項２】
前記凹溝における前記先端部とは反対側をテーパ状に形成したことを特徴とする、請求項１に記載の締結具。
【請求項３】
前記先端部側のテーパ形状が、当該先端に向かって縮径するように形成されていることを特徴とする、請求項１または２に記載の締結具。
【請求項４】
前記先端部側のテーパ形状が、当該先端に向かって拡径するように形成されていることを特徴とする、請求項１から３のいずれかに記載の締結具。
【請求項５】
前記係合部が軸部品の端部に係合するように装着され、その軸部品を固定することを特徴とする、請求項１から４のいずれかに記載の締結具。
【請求項６】
前記係合部の径は、これを装着すべき前記軸部品の軸径よりも小径であることを特徴とする、請求項１から５のいずれかに記載の締結具。
【請求項７】
前記係合部の径は、前記軸部品の凹溝部の径よりも小径であること特徴とする、請求項１から６のいずれかに記載の締結具。
【発明の詳細な説明】
【０００１】
【発明の属する技術分野】
この発明は、各種の機器もしくは装置等において部材を支持あるいは装着する軸部品とその固定部品並びにこれらを組み合わせて成る締結具に関する。
【０００２】
【従来の技術】
通常、軸を固定する場合、ナット、ピンあるいは止め輪等を用いている。たとえば装置構成部材を支持する支軸の場合、その構成部材に支軸を挿通させる。そして、その支軸の端部にナットを螺着し、あるいは止め輪もしくはＥリング等を装着することで支軸を固定することができる。
【０００３】
【発明が解決しようとする課題】
上述の例のようにナット、ピンあるいは止め輪等によって軸を固定する場合、確実に固定しないとこれらの固定部品が軸から外れることがある。このため安全上、止め輪の軸への固定作業は細心の注意を払うことが必要であるが、これらの締結部品を手指で頻繁に着脱するのはなかなか困難であり、通常、専用の工具を必要としていた。
【０００４】
この発明は以上の点に鑑み、簡単にしかも確実に手指で着脱可能であり、取扱性に優れた軸部品とその固定部品並びにこれらを組み合わせた締結具を提供することを目的とする。
【０００５】
【課題を解決するための手段】
上記目的を達成するため、本発明のベビー歩行器のシートを掛止するための締結具は、端部付近の外周に沿って凹溝を有しており、この凹溝よりも先端部側をテーパ状に形成する軸部品と、線材を湾曲または折曲成形して成っていて、弾発的に拡開可能な輪状の係合部とこの係合部を拡開させる把持部とを有する軸固定部品とを備え、軸部品がベビー歩行器の保護枠の軸受け部に支持され、軸部品にベビー歩行器の座部の先端部が巻回された状態で、係合部が上記凹溝に係合することで、座部を保護枠に掛止することを特徴とする。
【０００６】
軸部品において、好ましくは、前記凹溝における前記先端部とは反対側をテーパ状に形成することができる。さらに、上記先端部側のテーパ形状は、好ましくは、当該先端に向かって縮径して形成される。或いは、このテーパ形状を当該先端に向かって拡径して形成するようにしてもよい。
【０００７】
軸固定部品は、線材を湾曲または折曲成形して成っていて、弾発的に拡開可能な輪状の係合部とこの係合部を拡開させる把持部とを有するよう構成されている。また、この発明の軸固定部品において、好ましくは、前記係合部を軸部品の端部に係合するように装着することによりその軸部品を固定することができる。上記締結具において、好ましくは、前記係合部の径は、これを装着すべき軸部品の軸径よりも小径に構成される。また、この締結具において、好ましくは、前記係合部の径は、軸部品の凹溝部の径よりも小径に構成される。
【０００８】
この発明によれば、軸固定部品の両端の把持部を手指で挟むことにより、その係合部の径を大きくし、この状態で軸部品に簡単に通すことができる。
軸部品に軸固定部品を通す際、軸部品の先端部側のテーパ形状が先端に向かって縮径して形成されている場合は、もし軸部品の固定位置である凹溝に到達しないときはテーパ状の先端部に沿って抜け落ちる。逆に、軸部品の先端部側のテーパ形状が先端に向かって拡径して形成されている場合は、軸固定部品は正規位置まで滑動して凹溝内に嵌まり込む。
また、凹溝を通り越した場合には、反対側がテーパ状に形成されていればこのテーパに沿って凹溝へと戻されることができる。
【０００９】
【発明の実施の形態】
以下、図面を参照してこの発明による軸部品およびその固定部品の好適な実施の形態を説明する。
図１は、この実施形態において本発明を適用したベビー歩行器を示している。図において、１はリング状のベースであり、下面に設けた複数のキャスタ２を有し、これにより歩行器が床上等を自在に移動可能にしている。３はＸリンクを構成する脚、４は保護枠、５は保護枠４の内側に支持されたシートである。
【００１０】
シート５は、保護枠４の後部側に固定される背部５ａと、背部５ａから垂下延設され、その先端部が保護枠４の前部側に掛止される座部５ｂを有する。座部５ｂの先端部は、図１の点線で示すように保護枠４の前部下面に掛止されるようになっている。
【００１１】
図２はこの発明の締結具１０によってシート５の座部５ｂを掛止する様子を示している。この締結具１０は、保護枠４の軸受部６によって支持されるとともに座部５ｂの先端部が巻回される軸部品としてのシャフト１１と、このシャフト１１を固定する軸固定部品としてのクリップ１２とを含んでいる。
【００１２】
軸部品としてのシャフト１１は、図３に示すように一方の端部に形成したヘッド１１ａと他方の端部付近（図３、Ａ部）の外周に沿って形成された凹溝１１ｂとを有する。そして、本実施態様では、この凹溝１１ｂよりも先端部側が、テーパ状に形成されている（第１のテーパ部１１ｃ）。この第１のテーパ部１１ｃの形状はシャフト１１の当該先端部側に向かって先細になるよう、徐々に縮径していく形状に形成されている。また、図４に示すように凹溝１１ｂにおける先端部とは反対側も、テーパ状に形成されている（第２のテーパ部１１ｄ）が、この第２のテーパ部１１ｄの形状はヘッド１１ａ側に向かって先太になるよう、徐々に拡径していく形状に形成されている。図３及び図４に示す実施の形態では、先端部側に形成した第１のテーパ部１１ｃの基端側、すなわち凹溝１１ｂに連接する側の径はシャフト１１の軸径と同径に設定してある。
【００１３】
さらに、締結具１０を構成する軸固定部品としてのクリップ１２は、図５に示すように鋼製線材を湾曲または折曲成形してなり、弾発的に拡開可能な輪状の係合部１２ａとこの係合部１２ａを拡開させる把持部１２ｂとを有している。係合部１２ａは、ヘアピン状の弾性部１２ｃから連続しており、図示のように把持部１２ｂおよび弾性部１２ｃと交差するかたちで形成されている。
【００１４】
ここで係合部１２ａの径Ｄ（図５参照）はその自由状態で、少なくともこれを装着すべきシャフト１１の軸径ｄ1 （図４参照）よりも小径であり、より好ましくはシャフト１１の凹溝部１１ｂの径ｄ2 よりも小径である。
【００１５】
上記構成において、本発明の締結具１０によりシート５の座部５ｂを掛止する場合、図４のように座部５ｂの先端部が巻回されたシャフト１１にクリップ１２を装着する。この発明によれば、クリップ１２の両端の把持部１２ｂを手指で挟むことによりその係合部１２ａの径を大きくし、この状態でシャフト１１に簡単に通すことができる。そして、所定位置でその把持部１２ｂを放すことにより、シャフト１１を固定することができる。
【００１６】
上記のようにクリップ１２をシャフト１１に通す際、もし、クリップ１２がシャフト１１の凹溝１１ｂに到達する前に、クリップ１２の把持部１２ｂを挟んでいた手指を離した場合には、クリップ１２は第１のテーパ部１１ｃに沿って抜け落ちることになる。この場合には再度、クリップ１２を凹溝１１ｂに嵌まるまで装着することでシャフト１１を固定することができる。また、クリップ１２が凹溝１１ｂを通り越した場合には、反対側の第２のテーパ部１１ｄに沿って凹溝１１ｂへと戻される。
【００１７】
このようにクリップ１２が凹溝１１ｂに装着されない限り、抜け落ち、あるいは凹溝１１ｂへ戻されるようにしたことで、クリップ１２の誤装着を確実に防止し、つねに正規位置に装着することができる。また、一旦装着したクリップ１２を外す場合には、把持部１２ｂを手指で挟んで係合部１２ａの径を大きくすることで簡単にシャフト１１から取り外すことができる。
【００１８】
上述のようにクリップ１２を手指で挟むだけの簡単な操作で、シャフト１１に適正に装着することができ、各種の機器や装置類にシャフト１１を確実に固定することができる。従来のナット、ピンあるいは止め輪等によって軸を固定する場合とは異なり、専用の工具がもはや必要でなくなり、手軽な操作で確実な作業を行うことができる。
【００１９】
上記実施形態において、ベビー歩行器のシート５を掛止する場合に本発明の締結具１０を適用する例を説明したが、この発明はその他の種々の機器もしくは装置等において部材を支持あるいは装着する軸部品を固定する場合に対しても同様に適用可能であり、上記と同様な作用効果を得ることができる。
【００２０】
また、この発明では、シャフト１１も種々の構造とすることができる。例えば、図４に示したような第２のテーパ部１１ｄを設けることなく、凹溝１１ｂに連接した部分を図７に示すような垂直面１１ｅとして形成してもよい。
また、シャフト１１の第１のテーパ部１１ｃは、図４に示す実施形態とテーパ形状が逆の構造になるようにしてもよい。例えば、図８に示すように、第１のテーパ部１１ｆが先端側に向かって先太になるよう、徐々に拡径していく形状とすることができる。この場合は、クリップ１２を凹溝１１ｂまで装着せずに第１のテーパ部１１ｆの途中で手指を外したとしても、クリップ１２が抜け落ちる方向に戻ることなくそのまま凹溝１１ｂ内へ嵌まり込むよう滑動する。従って、この例の場合もクリップ１２の誤装着を確実に防止し、つねに正規位置に装着することができる。
【００２１】
【発明の効果】
以上説明したように、この発明によれば、特別な工具等を用いることなくクリップを着脱するだけで、軸部品の装着、取外しを簡単に行なうことができ、使用性および取扱性等に極めて優れている。とくに、誤装着時には、その旨を容易に判別することができ、誤装着を確実に防止することができる。しかも構成が簡素であるため、製造、製品コストがかからない等の利点を有している。
【図面の簡単な説明】
【図１】この発明の締結具をベビー歩行器に適用した例を示す斜視図である。
【図２】この発明の締結具によってシートを掛止する様子を示す図である。
【図３】この発明に係る軸部品としてのシャフトを示す図である。
【図４】図３のＡ部拡大図である。
【図５】この発明に係る軸固定部品としてのクリップを示す図である。
【図６】この発明の締結具におけるクリップ装着時の状態を示す図である。
【図７】この発明に係る軸部品としてのシャフトの他の例を示す図である。
【図８】この発明に係る軸部品としてのシャフトのさらに別の例を示す図である。
【符号の説明】
１      ベース
２      キャスタ
３      脚
４      保護枠
５      シート
５ａ    背部
５ｂ    座部
６      軸受部
１０      締結具
１１      シャフト
１１ａ    ヘッド
１１ｂ    凹溝
１１ｃ    第１のテーパ部
１１ｄ    第２のテーパ部
１２      クリップ
１２ａ    係合部
１２ｂ    把持部
１２ｃ    弾性部
【図１】
0004231933.tif 000002
【図２】
0004231933.tif 000003
【図３】
0004231933.tif 000004
【図４】
0004231933.tif 000005
【図５】
0004231933.tif 000006
【図６】
0004231933.tif 000007
【図７】
0004231933.tif 000008
【図８】
0004231933.tif 000009